(57)【要約】【課題】ガタや口開きを抑制することができるスライド式携帯端末を提供すること。【解決手段】本発明のスライド式携帯端末は、表示部を有する上筐体と、操作部を有する下筐体と、前記上筐体と前記下筐体とをスライド移動により開閉させるための連結部と、を備え、前記下筐体の前記上筐体に対向する面に対して、前記連結部のスライド方向が、開状態から閉状態へ向かう方向かつ下方向となる。【選択図】図１
2010166345.tif 000002
【特許請求の範囲】
【請求項１】
表示部を有する上筐体と、
操作部を有する下筐体と、
前記上筐体と前記下筐体とをスライド移動により開閉させるための連結部と、を備え、
前記下筐体の前記上筐体に対向する面に対して、前記連結部のスライド方向が、開状態から閉状態へ向かう方向かつ下方向 となるスライド式携帯端末。
【請求項２】
前記上筐体の前記下筐体に対向する面及び前記下筐体の前記上筐体に対向する面は、前記開状態から前記閉状態へ向かう前記方向に沿って、所定の曲率を有し、
前記連結部の前記上筐体に対向する面及び前記連結部の前記下筐体に対向する面は、前記開状態から前記閉状態へ向かう前記方向に沿って、前記所定の曲率とは異なる曲率を有する請求項１に記載のスライド式携帯端末。
【請求項３】
前記上筐体の前記下筐体に対向する面及び前記下筐体の前記上筐体に対向する面は、前記開状態から前記閉状態へ向かう前記方向に沿って、所定の曲率を有し、
前記上筐体の前記下筐体に対向する面の円弧中心の位置が、前記下筐体の前記上筐体に対向する面の円弧中心の位置に対して、前記開状態から前記閉状態へ向かう前記方向でずれている請求項１に記載のスライド式携帯端末。
【請求項４】
前記上筐体の前記下筐体に対向する面及び前記下筐体の前記上筐体に対向する面、並びに、前記連結部の前記上筐体に対向する面及び前記連結部の前記下筐体に対向する面は平面である請求項１に記載のスライド式携帯端末。
【請求項５】
前記連結部は、前記上筐体の前記下筐体に対向する面に固定される第１連結部と、前記下筐体の前記上筐体に対向する面に固定される第２連結部とを有し、
前記下筐体の前記上筐体に対向する面に対して、前記第２連結部に対する前記第１連結部のスライド方向が、開状態から閉状態へ向かう方向かつ下方向 となる請求項１に記載のスライド式携帯端末。
【発明の詳細な説明】
【技術分野】
【０００１】
本発明は、スライド式携帯端末に関する。
【背景技術】
【０００２】
特開２００７−２９５１１５号公報（以下、特許文献１と記載）で開示されているスライド式の携帯端末では、上筐体のリアケースのレール溝や、下筐体のフロントケースのレール溝に、上下筐体間の隙間を一定に保つことができるサスペンション機構を備える。
【０００３】
【特許文献１】特開２００７−２９５１１５号公報
【発明の開示】
【発明が解決しようとする課題】
【０００４】
しかし、特許文献１のサスペンション機構は、上下筐体間の隙間を一定に保つことができても、各筐体のバラツキや下筐体の内圧によって発生するガタ、又は閉状態において下筐体に対して上筐体が離れる口開きを抑制することは難しい。
【０００５】
本発明の目的は、ガタや口開きを抑制することができるスライド式携帯端末を提供することである。
【課題を解決するための手段】
【０００６】
本発明は、表示部を有する上筐体と、操作部を有する下筐体と、前記上筐体と前記下筐体とをスライド移動により開閉させるための連結部と、を備え、前記下筐体の前記上筐体に対向する面に対して、前記連結部のスライド方向が、開状態から閉状態へ向かう方向かつ下方向 となるスライド式携帯端末を提供する。
【０００７】
上記スライド式携帯端末では、前記上筐体の前記下筐体に対向する面及び前記下筐体の前記上筐体に対向する面は、前記開状態から前記閉状態へ向かう前記方向に沿って、所定の曲率を有し、前記連結部の前記上筐体に対向する面及び前記連結部の前記下筐体に対向する面は、前記開状態から前記閉状態へ向かう前記方向に沿って、前記所定の曲率とは異なる曲率を有する。
【０００８】
上記スライド式携帯端末では、前記上筐体の前記下筐体に対向する面及び前記下筐体の前記上筐体に対向する面は、前記開状態から前記閉状態へ向かう前記方向に沿って、所定の曲率を有し、前記上筐体の前記下筐体に対向する面の円弧中心の位置が、前記下筐体の前記上筐体に対向する面の円弧中心の位置に対して、前記開状態から前記閉状態へ向かう前記方向でずれている。
【０００９】
上記スライド式携帯端末では、前記上筐体の前記下筐体に対向する面及び前記下筐体の前記上筐体に対向する面、並びに、前記連結部の前記上筐体に対向する面及び前記連結部の前記下筐体に対向する面は平面である。
【００１０】
上記スライド式携帯端末では、前記連結部は、前記上筐体の前記下筐体に対向する面に固定される第１連結部と、前記下筐体の前記上筐体に対向する面に固定される第２連結部とを有し、前記下筐体の前記上筐体に対向する面に対して、前記第２連結部に対する前記第１連結部のスライド方向が、開状態から閉状態へ向かう方向かつ下方向 となる。
【発明の効果】
【００１１】
本発明に係るスライド式携帯端末によれば、ガタや口開きを抑制することができる。
【発明を実施するための最良の形態】
【００１２】
以下、本発明の実施の形態について、図面を参照して説明する。
【００１３】
（実施の形態１）
図１を参照し、実施の形態１に係るスライド式携帯端末の一例として、携帯電話１００の構成を説明する。図１は、携帯電話１００の分解斜視図である。携帯電話１００は、上筐体１１０と、下筐体１３０と、スライドユニット１２０と、を備える。
【００１４】
上筐体１１０（本発明でいう、上筐体）は、略直方体であるが、その下面１１３は下向きに凸状で、上筐体１１０の長辺方向（図１のＸ軸方向）に沿って曲率Ａを有する。また、その上面１１２には、携帯電話１００の各種機能を表示する表示部１１１を備える。上筐体１１０の下面１１３の曲率Ａは、後述する、下筐体１３０の上面１３３の曲率Ｂ及びスライダ１２４の上面１２５ 及び下面１２６ の曲率Ｃと、ほぼ一致する。
【００１５】
スライドユニット１２０（本発明でいう、連結部）は、図１のＸ軸方向に沿って延びる、ガイドレール１２１と、スライダ１２２と、を備える。
【００１６】
スライダ１２２は、その上面１２３が上筐体１１０の下面１１３の一部に固定され、上筐体１１０と一体となって移動する。そして、図１のＸ軸方向に沿うスライダ１２２の両端には、折り曲げ加工された折り曲げ部１２４ が形成されている。折り曲げ部１２４ は、ガイドレール１２１に嵌合する。また、折り曲げ部１２４の上面１２５ 及び下面１２６ は、図１のＸ軸方向に沿って、所定の曲率Ｃを有している。折り曲げ部１２４の上面１２５ 及び下面１２６ の曲率Ｃは、上筐体１１０の下面１１３の曲率Ａとほぼ一致する。
【００１７】
ガイドレール１２１は、下筐体１３０の固定部１３２に固定される。ガイドレール１２１は、折り曲げ部１２４と嵌合することで、図１のＸ軸方向に沿って、上筐体１１０と一体となったスライダ１２２を案内する。
上述のような構成を有するスライダ１２２に固定された上筐体１１０は、下筐体１３０の固定部１３２に固定されたガイドレール１２１に対して、所定の曲率Ｃに沿って移動（以下、円弧スライド移動という）する。
【００１８】
下筐体１３０（本発明でいう、下筐体）は、その上面１３３（本発明でいう、下筐体の上筐体に対向する面）に、操作部１３１と、固定部１３２と、を備える。
【００１９】
操作部１３１は、ユーザの操作によって、表示部１１１に表示される携帯電話１００の各種機能を実現する。固定部１３２は、スライドユニット１２０のガイドレール１２１を固定する。下筐体１３０の上面１３３は、所定の曲率Ｂを有し、上向きに凹状になっている。曲率Ｂは、上述した上筐体１１０の下面１１３の曲率Ａとほぼ一致する。
【００２０】
次に、図２及び図３を参照し、携帯電話１００の２つの状態を説明する。図２は、開状態の携帯電話１００の正面視図であり、図３は、閉状態の携帯電話１００の正面視図である。図２、図３に示すＸ軸は、図１に示すＸ軸と同じである。
【００２１】
図２に示すように、携帯電話１００が開状態のとき、上筐体１１０の表示部１１１と、下筐体１３０の操作部１３１とが正面から見える。ユーザは、操作部１３１を操作することで、表示部１１１に表示される携帯電話１００の各種機能を実現する。図３に示すように、携帯電話１００が閉状態のとき、下筐体１３０が上筐体１１０に重なり、上筐体１１０の表示部１１１のみが正面から見える。
【００２２】
上述のように、携帯電話１００は、上筐体１１０が、スライドユニット１２０を介して、下筐体１３０に対して、図２、図３に示すＸ軸方向に沿って円弧スライド移動することで、図２に示す開状態と図３に示す閉状態との２つの状態の間を遷移する。
【００２３】
次に、携帯電話１００が、２つの状態を遷移する様子について、図４、図５を参照して説明する。図４は、開状態の携帯電話１００の側面図を示し、図５は、閉状態の携帯電話１００の側面図を示す。なお、図４、図５では、上筐体１１０及び下筐体１３０の動きを説明するために、上筐体１１０及び下筐体１３０のみを図示し、スライドユニット１２０を図示しない。また、図４、５に示すＸ軸は、図１に示すＸ軸と同じである。Ｙ軸は、略鉛直な方向であり、Ｘ軸に対して略垂直である。
【００２４】
ここで、本発明の実施の形態１に係るスライド式携帯端末のひとつの特徴として、図４に示すように、上筐体１１０の下面１１３の円弧中心Ｍと、下筐体１３０の上面１３３の円弧中心Ｎとが、図４に示すＸ軸方向においてずれている。
【００２５】
図４で、携帯電話１００が２つの状態を遷移するとき、上筐体１３０の下面１１３の軌跡を点線Ｆで示す。同様に、携帯電話１００が２つの状態を遷移するとき、上筐体１１０に対して下筐体１３０の上面１３３の仮想的な軌跡を点線Ｇで示す。また、各筐体のバラツキや下筐体１３０の内圧によって発生する上筐体１１０と下筐体１３０との間の隙間Ｓ1を、斜線部で示す。
【００２６】
図４に示すように、点線Ｆが点線Ｇと交わっている。そのため、隙間Ｓ1が、携帯電話１００が開状態から閉状態に遷移するまでに、徐々に狭くなっている。これは、携帯電話１００が開状態から閉状態に遷移する間、上筐体１１０が下筐体１３０に対して、図４に示すＸ軸方向へ円弧スライド移動して、隙間Ｓ1が徐々に狭くなっているからである。
【００２７】
そして、図５に示す閉状態で、携帯電話１００のガタや、下筐体１３０の端部で下筐体１３０に対して上筐体１１０が離れる口開きを抑制することができる。これは、図５に示す方向に、スライダ１２２を押す力Ｆ１が、開状態から閉状態に携帯電話１００が遷移するまで常に加わっているからである。この力Ｆ１は、上筐体１１０の下面１１３の円弧中心Ｄと下筐体１３０の上面１３３の円弧中心Ｅとが、図４に示すＸ軸方向においてずれていることで発生する。
【００２８】
また、力Ｆ１は、図５に示すＸ軸方向の成分Ｆ１Ｘと、Ｙ軸方向の成分Ｆ１Ｙとに分解できる。図５に示すＸ軸方向は、携帯電話１００が開状態から閉状態へ遷移する方向であり、図５に示すＹ軸方向は、略鉛直方向である。言い換えると、上筐体１１０と一体となったスライダ１２０（本発明でいう、連結部）のスライド方向が、携帯電話１００の開状態から閉じる状態へ向う方向の成分と、略鉛直な方向の成分とで構成されている。
したがって、実施の形態１に係るスライド式携帯端末では、携帯電話１００のガタや口開きを抑制することができる。
【００２９】
（変形例１）
また、図４に示すように各筐体の円弧中心が描く軌跡を実現するために、上筐体１１０の下面１１３の円弧中心Ｍと下筐体１３０の上面１３３の円弧中心Ｎとを、携帯電話１００の長手方向においてずらしているが、これに限らない。例えば、実施の形態１の携帯電話１００において、携帯電話１００が閉状態のときに、上筐体１１０の下面１１３の円弧中心Ｍと下筐体１３０の上面１３３の円弧中心Ｎとを一致させておき、スライドユニット１２０の円弧中心Ｌを、円弧中心Ｄ、Ｅと異ならせるように構成することで、閉状態において、携帯電話１００のガタや下筐体１３０の端部で下筐体１３０に対して上筐体１１０が離れる口開きを抑制することができる。なお、変形例１の携帯電話の上述した構成以外は、実施の形態１の携帯電話１００と同じであり、その説明を省略する。
【００３０】
（変形例２）
また、図４に示すように各筐体の円弧中心が描く軌跡を実現するために、上筐体１１０の下面１１３の円弧中心Ｍと下筐体１３０の上面１３３の円弧中心Ｎとを、携帯電話１００の長手方向においてずらしているが、これに限らない。例えば、携帯電話１００において、上筐体１１０の下面１１３の円弧中心Ｍと下筐体１３０の上面１３３の円弧中心Ｎとを、図４に示すＸ軸方向にずらさずに、上筐体１１０の下面１１３の曲率Ａを下筐体１３０の上面１３３の曲率Ｂと異ならせることで、閉状態において、携帯電話１００のガタや下筐体１３０の端部で下筐体１３０に対して上筐体１１０が離れる口開きを抑制することができる。なお、変形例１の携帯電話の上述した構成以外は、実施の形態１の携帯電話１００と同じであり、その説明を省略する。
【００３１】
（実施の形態２）
図６を参照し、実施の形態２に係るスライド式携帯端末の一例として、携帯電話２００の構成を説明する。図６は、携帯電話２００の分解斜視図である。実施の形態２の携帯電話２００が実施の形態１の携帯電話１００と異なる点は、上筐体２１０の下面２１３の曲率Ａと、曲率Ａとほぼ一致する下筐体２３０の上面２３３の曲率Ｂとが、折り曲げ部２２４の上面２２５ 及び下面２２６ の曲率Ｃよりも小さいことである。
携帯電話２００は、上筐体２１０と、下筐体２３０と、スライドユニット２２０とから構成される。
【００３２】
上筐体２１０（本発明でいう、上筐体）は、略直方体であるが、その下面２１３は下向きに凸状であり、上筐体２１０の長辺方向（図１のＸ軸方向）に沿って曲率Ａを有する。また、その上面１１２には、携帯電話２００の各種機能を表示する表示部１１１を備える。なお、上筐体２１０の下面２１３の曲率Ａは、後述する、上向きに凹状に形成された下筐体２３０の上面２３３の曲率Ｂとほぼ一致する。
【００３３】
スライドユニット２２０（本発明でいう、連結部）は、図６のＸ軸方向に沿って延びる、ガイドレール１２１とスライダ２２２とを備える。
【００３４】
スライダ２２２は、その上面２２３が上筐体２１０の下面２１３の一部に固定され、上筐体２１０と一体となって移動する。そして、スライダ２２２の長辺には、その全長に亘って折り曲げ加工された折り曲げ部２２４が形成されている。折り曲げ部２２４ が、ガイドレール１２１ に嵌合する。また、折り曲げ部１２４ の上面２２５ 及び下面２２６ は、図６のＸ軸方向に沿って、所定の曲率Ｃを有している。スライダ折り曲げ部２２４ の上面２２５ 及び下面２２６ の曲率Ｃは、上筐体２１０の下面２１３の曲率Ａよりも大きい。
【００３５】
ガイドレール１２１は、下筐体２３０の固定部１３２に固定される。ガイドレール１２１は、折り曲げ部２２４と嵌合することで、図６のＸ軸方向に沿って、上筐体２１０と一体となったスライダ２２２を案内する。
上述のような構成を有するスライダ２２２に固定された上筐体２１０は、下筐体２３０の固定部１３２に固定されたガイドレール１２１に対して、所定の曲率Ｃに沿って移動（以下、円弧スライド移動と記載）する。
【００３６】
下筐体２３０（本発明でいう、下筐体）は、その上面２３３（本発明でいう、下筐体の上筐体に対向する面）に、操作部１３１と、固定部１３２と、を備える。
【００３７】
操作部１３１は、ユーザの操作によって、表示部１１１に表示される携帯電話２００の各種機能を実現する。固定部１３２は、スライドユニット２２０のガイドレール１２１を固定する。下筐体２３０の上面２３３は、所定の曲率Ｂを有し、上向きに凹状になっている。曲率Ｂは、上述した上筐体２１０の下面２１３の曲率Ａとほぼ一致する。
【００３８】
次に、図７、８を参照して、折り曲げ部２２４の上面２２５ 及び下面２２６ の曲率Ｃと、下筐体２３０の上面２３３の所定の曲率Ｂと、を比較する。図７は、携帯電話２００の分解側面視図であり、図８は図７のスライドユニット２２０の構成を省略した図である。
【００３９】
図７の２点鎖線Ｈは、折り曲げ部２２４ の上面２２５ 及び下面２２６ の曲率Ｃを示し、図７の２点鎖線Ｉは、下筐体２３０の上面２３３の曲率Ｂを示す。また、図８に示すように、携帯電話２００では、折り曲げ部２２４ の上面２２５ 及び下面２２６ の曲率Ｃ（図８の２点鎖線Ｈ）は、下筐体２３０の上面２３３の曲率Ｂ（図８の２点鎖線Ｉ）よりも大きい。
【００４０】
次に、図９及び図１０を参照し、携帯電話２００の２つの状態を説明する。図９は、開状態の携帯電話２００の正面視図であり、図１０は、閉状態の携帯電話２００の正面視図である。図９、１０に示すＸ軸は、図６に示すＸ軸と同じである。
【００４１】
図９に示すように、携帯電話２００が開状態のとき、上筐体２１０の表示部１１１と、下筐体２３０の操作部１３１とが正面から見える。ユーザは、操作部１３１を操作することで、表示部１１１に表示される携帯電話２００の各種機能を実現する。また、図１０に示すように、携帯電話２００が閉状態のとき、下筐体２３０が上筐体２１０に重なり、上筐体２１０の表示部１１１のみが正面から見える。
【００４２】
上述のように、携帯電話２００の状態は、上筐体２１０が、スライドユニット２２０を介して、下筐体２３０に対して図９、１０に示すＸ軸方向に沿って円弧スライド移動することで、図９に示す開状態と図１０に示す閉状態とのの２つの状態の間を遷移する。
【００４３】
次に、携帯電話２００が２つの状態を遷移する様子について、図１１、図１２を参照して説明する。図１１は、開状態の携帯電話２００の側面図を示し、図１２は、閉状態の携帯電話２００の側面図を示す。なお、図１１、図１２では、上筐体２１０及び下筐体２３０の動きを説明するために、上筐体２１０及び下筐体２３０のみを図示し、スライドユニット２２０を図示しない。また、図１１、１２に示すＸ軸は、図６に示すＸ軸と同じである。Ｙ軸は、略鉛直な方向であり、Ｘ軸に対して略垂直である。
【００４４】
ここで、実施の形態２に係るスライド式携帯端末のひとつの特徴として、上述のように、携帯電話２００では、折り曲げ部２２４の上面２２５ 及び下面２２６ の曲率Ｃが、下筐体２３０の上面２３３は、所定の曲率Ｂ（及び曲率Ａ）よりも大きい。
【００４５】
図１１で、携帯電話２００が２つの状態を遷移するとき、上筐体２１０の下面２１３の軌跡を点線Ｊで示す。同様に、携帯電話２００が２つの状態を遷移するとき、上筐体２１０に対して下筐体２３０の上面２３３の仮想的な軌跡を点線Ｋで示す。また、各筐体のバラツキや下筐体２３０の内圧によって発生する上筐体２１０と下筐体２３０との間の隙間Ｓ２を、斜線部で示す。
【００４６】
図１１に示すように、点線Ｊが点線Ｋと交わっている。そのため、隙間Ｓ２が、携帯電話２００が開状態から閉状態に遷移するまでに、徐々に狭くなっている。これは、携帯電話２００が開状態から閉状態に遷移する間、上筐体２１０が下筐体２３０に対して、図１１に示すＸ軸方向へ円弧スライド移動して、隙間Ｓ２が徐々に狭くなっているからである。
【００４７】
そして、図１２に示す閉状態で、携帯電話２００のガタや、下筐体２３０の端部で下筐体２３０に対して上筐体２１０が離れる口開きを抑制することができる。これは、図１２に示す方向に、スライダ１２２を押す力Ｆ２が、開状態から閉状態に携帯電話２００が遷移するまで常に加わっているからである。この力Ｆ２は、上筐体２１０と一体となって円弧スライド移動する折り曲げ部２２４の上面２２５ 及び下面２２６ の曲率Ｃが、下筐体２３０の上面２３３は、所定の曲率Ｂ（及び曲率Ａ）よりも大きいことで発生する。
【００４８】
また、力Ｆ２は、図１２に示すＸ軸方向の成分Ｆ２Ｘと、Ｙ軸方向の成分Ｆ２Ｙとに分解できる。図１２に示すＸ軸方向は、携帯電話２００が開状態から閉状態へ遷移する方向であり、図１２に示すＹ軸方向は、略鉛直方向である。言い換えると、上筐体２１０と一体となったスライダ２２０（本発明でいう、連結部）のスライド方向が、携帯電話２００の開状態から閉じる状態へ向う方向の成分と、略鉛直な方向の成分とで構成されている。
したがって、実施の形態２に係るスライド式携帯端末では、携帯電話２００のガタや口開きを抑制することができる。
【００４９】
（実施の形態３）
図１３を参照し、実施の形態３に係るスライド式携帯端末の一例である、携帯電話３００の構成を説明する。図１３は、携帯電話３００の分解斜視図である。実施の形態３に係る携帯電話３００が実施の形態２に係る携帯電話２００と異なる点は、上筐体３１０の下面３１３及び下筐体３３０の上面３３３が曲率を持たない平面である点である。この点以外は実施の形態２と同様であり、図１３において、図７と共通する構成要素には同じ参照符号が付されている。
携帯電話３００は、上筐体３１０と、下筐体３３０と、スライドユニット２２０とから構成される。
【００５０】
上筐体３１０（本発明でいう、上筐体）は、略直方体である。上筐体３１０の上面１１２には、携帯電話３００の各種機能を表示する表示部１１１を備える。上筐体３１０の下面３１３は、曲率を持たない平面である。
【００５１】
スライドユニット２２０（本発明でいう、連結部）は、図１３のＸ軸方向に沿って延びる、ガイドレール１２１とスライダ２２２とを備える。
【００５２】
スライダ２２２は、その上面２２３が上筐体３１０の下面３１３の一部に固定され、上筐体３１０と一体となって移動する。そして、スライダ２２２の長辺には、その全長に亘って折り曲げ加工された、折り曲げ部２２４が形成されている。折り曲げ部２２４が、ガイドレール１２１に嵌合する。また、折り曲げ部２２４ の上面２２５ 及び下面２２６ は、図１３のＸ軸方向に沿って、所定の曲率Ｃを有している。
【００５３】
ガイドレール１２１は、下筐体３３０の固定部１３２に固定される。ガイドレール１２１は、折り曲げ部２２５ と嵌合することで、図１３のＸ軸方向に沿って、上筐体３１０と一体となったスライダ２２２を案内する。
上述のような構成を有するスライダ２２２に固定された上筐体３１０は、下筐体３３０の固定部１３２に固定されたガイドレール１２１に対して、所定の曲率Ｃに沿って移動（以下、円弧スライド移動と記載）する。
【００５４】
下筐体３３０（本発明でいう、下筐体）は、その上面３３３（本発明でいう、下筐体の上筐体に対向する面）に、操作部１３１と、固定部１３２と、を備える。下筐体３３０の上面３３３は、曲率を持たない平面である。
【００５５】
操作部１３１は、ユーザの操作によって、表示部１１１に表示される携帯電話３００の各種機能を実現する。固定部１３２は、スライドユニット２２０のガイドレール１２１を固定する。
【００５６】
図１４は、携帯電話３００の分解側面視図である。図１４の２点鎖線Ｑで示すように、折り曲げ部２２４ の上面２２５ 及び下面２２６ は、曲率Ｃを有する。一方、上筐体３１０の下面３１３及び下筐体３３０の上面３３３は、曲率を持たない平面である。
【００５７】
次に、図１５及び図１６を参照し、携帯電話３００の２つの状態を説明する。図１５は、開状態の携帯電話３００の正面視図であり、図１６は、閉状態の携帯電話３００の正面視図である。図１５、１６に示すＸ軸は、図１３に示すＸ軸と同じである。
【００５８】
図１５に示すように、携帯電話３００が開状態のとき、上筐体３１０の表示部１１１と、下筐体３３０の操作部１３１とが正面から見える。ユーザは、操作部１３１を操作することで、表示部１１１に表示される携帯電話３００の各種機能を実現する。また、図１６に示すように、携帯電話３００が閉状態のとき、下筐体３３０が上筐体３１０に重なり、上筐体３１０の表示部１１１のみが正面から見える。
【００５９】
上述のように、携帯電話３００の状態は、上筐体３１０が、スライドユニット２２０を介して、下筐体３３０に対して図１５、１６に示すＸ軸方向に沿って、円弧スライド移動することで、開状態（図１５）及び閉状態（図１６）の２つの状態の間を遷移する。
【００６０】
次に、携帯電話３００が２つの状態を遷移する様子について、図１７、図１８を参照して説明する。図１７は、開状態の携帯電話３００の側面図を示し、図１８は、閉状態の携帯電話３００の側面図を示す。なお、図１７、図１８では、上筐体３１０及び下筐体３３０の動きを説明するために、上筐体３１０及び下筐体３３０のみを図示し、スライドユニット２２０を図示しない。また、図１７、１８に示すＸ軸は、図１３に示すＸ軸と同じ方向である。Ｙ軸は、略鉛直な方向であり、Ｘ軸に対して略垂直である。
【００６１】
ここで、実施の形態３に係るスライド式携帯端末のひとつの特徴として、上述のように、携帯電話３００では、折り曲げ部２２４の上面２２５ 及び下面２２６ が、曲率Ｃを有し、上筐体３１０の下面３１３と、下筐体３３０の上面３３３とは、曲率を持たない平面である。
【００６２】
図１７で、携帯電話３００が２つの状態を遷移するとき、上筐体３１０がスライダ２２２と一体となって動く軌跡を点線Ｒで示す。また、各筐体のバラツキや下筐体３３０の内圧によって発生する上筐体３１０と下筐体３３０との間の隙間Ｓ３を、斜線部で示す。
【００６３】
図１７に示すように、点線Ｒは、携帯電話３００が閉じ状態へ遷移するにつれて、下筐体３３０の上面３３３に近づいている。そのため、隙間Ｓ３が、携帯電話３００が開状態から閉状態に遷移するまでに、徐々に狭くなっている。これは、携帯電話３００が開状態から閉状態に遷移する間、上筐体３１０が下筐体３３０に対して、図１７に示すＸ軸方向へ円弧スライド移動して、隙間Ｓ３が徐々に狭くなっているからである。
【００６４】
そして、図１８に示す閉状態では、携帯電話３００のガタや、下筐体３３０の端部で、下筐体３３０に対して上筐体３１０が離れる口開きを抑制することができる。これは、図１８に示す方向に、スライダ１２２を押す力Ｆ３が、開状態から閉状態に携帯電話３００が遷移するまで常に加わっているからである。この力Ｆ３は、折り曲げ部２２４ の上面２２５ 及び下面２２６ が曲率Ｃを有し、かつ上筐体３１０の下面３１３と下筐体３３０の上面３３３とが曲率を持たない平面であることに起因して発生する。
【００６５】
また、力Ｆ３は、図１８に示すＸ軸方向の成分Ｆ３Ｘと、Ｙ軸方向の成分Ｆ３Ｙとに分解できる。図１８に示すＸ軸方向は、携帯電話３００が開状態から閉状態へ遷移する方向であり、図１８に示すＹ軸方向は、略鉛直方向である。言い換えると、上筐体３１０と一体となったスライダ２２０（本発明でいう、連結部）のスライド方向が、携帯電話３００の開状態から閉じる状態へ向う方向の成分と、略鉛直な方向の成分とで構成されている。
したがって、実施の形態３に係るスライド式携帯端末では、携帯電話３００のガタや口開きを抑制することができる。
【産業上の利用可能性】
【００６６】
本発明に係るスライド式携帯端末は、ガタや口開きを抑制することができる効果を有し、携帯電話等として有用である。
【図面の簡単な説明】
【００６７】
【図１】携帯電話１００の分解斜視図。
【図２】携帯電話１００が開状態のときの正面視図。
【図３】携帯電話１００が閉状態のときの正面視図。
【図４】開状態の携帯電話１００の側面図。
【図５】閉状態の携帯電話１００の側面図。
【図６】携帯電話２００の分解斜視図。
【図７】携帯電話２００の分解側面視図。
【図８】図７のスライドユニット２２０の構成を省略した図。
【図９】開状態の携帯電話２００の正面視図。
【図１０】閉状態の携帯電話２００の正面視図。
【図１１】開状態の携帯電話２００の側面図。
【図１２】閉状態の携帯電話２００の側面図。
【図１３】携帯電話３００の分解斜視図。
【図１４】携帯電話３００の分解側面視図。
【図１５】開状態の携帯電話３００の正面視図
【図１６】閉状態の携帯電話３００の正面視図
【図１７】開状態の携帯電話３００の側面図
【図１８】閉状態の携帯電話３００の側面図
【符号の説明】
【００６８】
１００、２００、３００        携帯電話
１１０、２１０、３１０        上筐体
１１２                        上面
１１３、２１３、３１３        下面
１２０、２２０、              スライドユニット
１２１                        ガイドレール
１２２、２２２                スライダ
１２６、２２６                下面
１２４、２２４                折り曲げ部
１３０、２３０、３３０        下筐体
１３１                        操作部
１３２                        固定部
１３３、２３３、３３３        上面
【図１】
2010166345.tif 000003
【図２】
2010166345.tif 000004
【図３】
2010166345.tif 000005
【図４】
2010166345.tif 000006
【図５】
2010166345.tif 000007
【図６】
2010166345.tif 000008
【図７】
2010166345.tif 000009
【図８】
2010166345.tif 000010
【図９】
2010166345.tif 000011
【図１０】
2010166345.tif 000012
【図１１】
2010166345.tif 000013
【図１２】
2010166345.tif 000014
【図１３】
2010166345.tif 000015
【図１４】
2010166345.tif 000016
【図１５】
2010166345.tif 000017
【図１６】
2010166345.tif 000018
【図１７】
2010166345.tif 000019
【図１８】
2010166345.tif 000020